(57)【特許請求の範囲】
【請求項１】
被測定者の足に接触する足部電極と、前記足部電極を備え測定時に被測定者が乗る人体載置部と、被測定者の手に接触する手部電極と、前記手部電極を備え測定時に被測定者が手で把持する把持部と、前記足部電極と手部電極の間のインピーダンスを測定するインピーダンス測定手段と、被測定者の身体的特徴をあらわす被測定者情報を入力する入力手段と、前記手部電極または足部電極と前記インピーダンス測定手段を電気的に接続するための伸縮自在のカールコードと、前記カールコードを収納する空洞部を内部に有するコード収納部と、前記カールコードの内側を貫通するワイヤと、前記ワイヤの巻き取り手段を有し、インピーダンスと被測定者情報から被験者の生体に関する情報を抽出する生体情報測定装置において、前記人体載置部に取りつけたコード収納部内部にワイヤとカールコードを貫通させるとともに、ワイヤの一端を前記把持部に固定し、巻き取り手段をコード収納部に固定することで、ワイヤ巻き取り時にカールコードを収縮させコード収納部内部に引き込むとともに、前記把持部は前記コード収納部の開口部に嵌合することを特徴とした生体情報測定装置。
【請求項２】
コード収納部は人体載置部に回動自在に軸支したことを特徴とした請求項１記載の生体情報測定装置。
【請求項３】
人体載置部に体重計を組み込み、測定した体重値を被測定者情報の一部とする請求項１または２記載の生体情報測定装置。
【発明の詳細な説明】
【０００１】
【発明の属する技術分野】
本発明は、手と足にそれぞれ接触する電極を有し、測定手段と電極とを電気的に接続するコードを有する生体情報測定装置におけるコードの収納に関するものである。
【０００２】
【従来の技術】
従来この種の装置の形態は、生体情報測定装置等に代表され、たとえば、特開平７−５９７４４号公報に示すようなものが一般的であった。図１１に従来の生体測定装置の外観を示す。
【０００３】
この装置は本体２２の両手で把持できる把持部４に手用の電極３を有し、ケーブル２３で接続された、フット電極部２１に電極１を有し、被測定者は身長、体重、性別の被測定者情報をキー群５で入力した後、両手で装置本体２２を把持し、フット電極部２１に乗って決められた姿勢を取って測定すれば、把持部４及びフット電極部２１に備えられた電極１及び３が手のひら及び足の裏に接触することによって手足間のインピーダンスを測定し、インピーダンスと、入力された被測定者情報に基づいて計算により生体に関する情報を得ることができるようになっていた。
【０００４】
【発明が解決しようとする課題】
しかしながら、前記従来の生体情報測定装置では装置本体とフット電極部を接続するケーブルは装置を使用しないときには別途まとめる等しないとバラバラになり、未使用状態で見苦しくなる場合があるとともに別途まとめるという作業自体が面倒くさいということがあった。
【０００５】
また、常にケーブルが暴露状態にあるため、使用期間が長くなるにつれ、汚れが発生した際においても、装置本体は簡単に拭くことができても、柔軟性のあるケーブルの汚れを除去するのが非常に面倒な作業となる場合があった。
また、生体情報測定装置を移動しようとした際にも、持ち運び時にケーブルが垂れ下がり移動時に足に絡んだり、引っかかってしまいケーブルが邪魔になる場合があった。非使用時の外観を向上させるためにケーブルをカールコードとした場合においても、コードの汚れの改善や収納性の向上には限界があった。
【０００６】
本発明は、前記従来の課題を解決するもので、カールコードを自動的に収縮させて、装置非使用時における収納作業性を改善し、使い勝手を向上させた生体情報測定装置の提供を目的とする。
【０００７】
【課題を解決するための手段】
前記従来の課題を解決するために本発明の生体情報測定装置は、被測定者の足に接触する足部電極と、足部電極を備え測定時に被測定者が乗る人体載置部と、被測定者の手に接触する手部電極と、手部電極を備え測定時に被測定者が手で把持する把持部と、足部電極と手部電極の間のインピーダンスを測定するインピーダンス測定手段と、被測定者の身体的特徴をあらわす被測定者情報を入力する入力手段と、手部電極または足部電極とインピーダンス測定手段を電気的に接続するための伸縮自在のカールコードと、カールコードを収納する空洞部を内部に有するコード収納部と、カールコードの内側を貫通するワイヤと、ワイヤの巻き取り手段を有し、インピーダンスと被測定者情報から被験者の生体に関する情報を抽出する生体情報測定装置において、人体載置部に取りつけたコード収納部内部にワイヤとカールコードを貫通させるとともに、ワイヤの一端を把持部に固定し、巻き取り手段をコード収納部に固定することで、ワイヤ巻き取り時にカールコードを収縮させコード収納部内部に引き込むとともに、把持部はコード収納部の開口部に嵌合する構成としたものであり、カールコードの収納作業を簡単に行え、使い勝手が向上するとともに、非使用時に、ほこり等がコード収納部内部に入り込み難いためカールコードが汚れ難く清掃等の手間を更に軽減することができる。
【０００８】
【発明の実施の形態】
請求項１に記載の発明は、コード収納部を人体載置部に設けると共に、コード収納部内部にワイヤとカールコードを貫通させるとともに、ワイヤの一端を把持部に固定し、巻き取り手段をコード収納部に固定することで、ワイヤ巻き取り時にカールコードを収縮させをコード収納部内部に引き込むことにより、装置使用終了後の片付けの際に把持部と人体載置部を接続するカールコードをコード収納部内部に自動的に収納することができるため、簡単に片付けすることができるとともに、非使用時の装置全体の見映えが良く、カールコードがコード収納部でカバーされるためカールコードが汚れ難く清掃等の手間を軽減することができる。
【０００９】
また、物づくり上において、人が載るために形状が大きくなる人体載置部とカールコードの接続組みたてを最後に行うことが可能なため、生産途中でのハンドリング性が良く生産効率が向上する。
【００１０】
しかも、把持部がコード収納部の開口部に嵌合する構成としたもので、カールコード収納後に把持部もしくは人体載置部に設けた嵌合部がコード収納部の開口部の蓋となるために、カールコード収納後、把持部の一部をコード収納部の開口部に嵌合させるために、カールコード収納後に、把持部の一部がコード収納部開口部の蓋代わりとなり、収納時はケーブル自体が見えなくなるため装置全体としての見栄えが良く、また、ほこり等がコード収納部内部に入り込み難いためカールコードが汚れ難く清掃等の手間を軽減することができる。
【００１１】
請求項２に記載の発明は、コード収納部を人体載置部に回動自在に軸支したもので、装置使用時は、把持部を引き出し易い方向にコード収納部を所望の位置まで回動させて使用でき、収納時は、装置全体の収納容積が小さくなる位置まで回動させることができ使い勝手の良いものとなる。
【００１２】
請求項３に記載の発明は、人体載置部に体重計を組み込み、測定した体重値を被測定者情報の一部とするため、被測定者の身体的特徴をあらわす被測定者情報を入力する際に体重値入力の手間の軽減が図れる。
【００１３】
【実施例】
以下、本発明の実施例について図面を参照しながら説明する。
【００１４】
説明を具体的にするために、本実施例では、生体情報を体脂肪率として説明しているが、生体インピーダンスと、被測定者の身体的特徴をあらわす被測定者情報から算出される生体情報を測定算出するものであれば、例えば、骨密度の測定装置であっても、筋肉の量や、筋肉の疲労度を測定するものであっても本発明の主旨を逸脱するものではない。
【００１５】
（実施例１）
図１は本発明の第１の実施例における生体情報測定装置の外観図、図２はそのブロック図、図３は測定時の説明図である。本実施例の生体情報測定装置は人体載置部２を装置本体外殻としており、ここに足部電極１ａ、１ｂ、１ｃ、１ｄが取り付けられている。本実施例において１ａと１ｂは電気的に短絡接続され、一対で構成される定電流電源部９ａの電極の一端であり、１ｃと１ｄは電気的に短絡接続され、一対で構成される人体抵抗電位検出部９ｂの電極の一端であり、前述の定電流電源部９ａと人体抵抗電位検出部９ｂでインピーダンス測定手段９を構成する。人体載置部２には、被測定者情報を入力するための入力手段としての設定キー群５、報知手段として液晶表示器６が備えられている。手部電極または足部電極とインピーダンス測定手段を電気的に接続するために、人体載置部２と把持部４はカールコード７で接続されている。８は人体載置部２に設けたコード収納部で、内部にカールコード７を収納できる容積と、把持部４を挿入できる開口面積を有するとともにカールコード７の内側を貫通するワイヤ１２を巻き取る巻き取り手段１３を内部に構成している。ワイヤ１２の一端は把持部４に固定されている。また、手部電極３ａ、３ｂは導電性の金属材料で把持部４に巻き付け固定したものである。３ａは前述の一対で構成される定電流電源の電極のもう一方の一端であり、３ｂは前述の一対で構成される人体抵抗電位検出手段の電極のもう一方の一端である。被測定者１０は図３のように把持部４を握って人体載置部２の上に素足で乗る。このとき手部電極３ａ、３ｂは被測定者１０の手のひらに、足部電極１ａ、１ｂ、１ｃ、１ｄは被測定者１０の足の裏に接触する。
【００１６】
図２に示すように足部電極１ａ、１ｂ、１ｃ、１ｄならびに手部電極３ａ、３ｂはインピーダンス測定手段９に接続されている。インピーダンス測定手段９は４端子法により、短絡された足部電極１ａ、１ｂ電極と手部電極３ａ電極間に定電流電源部９ａにより定電流を流し、足部電極１の他方の電極と手部電極２の他方の電極間で人体抵抗電位検出部９ｂにより電圧を測定することによって、インピーダンスを測定できるよう構成されている。本実施例では、５０ｋＨｚ、５００μＡの人体が感じることのない微弱な電流を使用している。測定したインピーダンスは計算手段としてのマイクロコンピュータ１１に入力される。マイクロコンピュータ１１には先に説明したキー群５と液晶表示器６が接続されている。実施例中の足部電極１ａ、１ｂと１ｃ、１ｄはそれぞれ短絡した状態で説明したが、１ａと１ｃのみで１ｂと１ｄがない構成、或いは１ａと１ｃが無くで１ｂと１ｄのみの構成でも、手−足間のインピーダンスの計測は可能であり、本発明の範囲を逸脱するものではない。加えて、インピーダンス測定手段９における定電流源部９ａの電極を１ａ、１ｂと３ａとし、人体抵抗電位検出部９ｂの電極を１ｃ、１ｄと３ｂとしたが、定電流源部９ａの電極を１ｃ、１ｄと３ｂとし人体抵抗電位検出部９ｂの電極を１ａ、１ｂと３ａとしても手−足間のインピーダンスの計測は可能であり、本発明の範囲を逸脱するものではない（以降説明を簡略化するために足部電極１ａ、１ｂ、１ｃ、１ｄを総称して足部電極１とし、手部電極３ａ、３ｂを総称して手部電極３と称する）。
【００１７】
次に動作、作用について説明する。測定に先立ち、被測定者１０はキー群５を操作して、被測定者情報として身長、体重、性別を入力する。キー群５はマイクロコンピュータ１１に接続されているので、マイクロコンピュータ１１にはこれらの被測定者情報があらかじめ入力される。次に、被測定者１０は図３に示すように、腕を水平にのばした状態の測定姿勢を取るために把持部４をコード収納部８から引き出す、この時カールコード７が伸びるとともに、巻き取り手段１３に巻かれているワイヤ１２も引き出された状態で、人体載置部２に乗る。このとき、手部電極３は被測定者１０の手のひらに、足部電極４は被測定者１０の足の裏に接触する。手部電極３及び足部電極４はインピーダンス測定手段９に接続されており、被測定者１０の手足間のインピーダンスを測定する。インピーダンス測定手段９からのインピーダンスがマイクロコンピュータ１１に入力されると、マイクロコンピュータ１１はプログラムによりインピーダンスと被測定者情報から体脂肪率を計算し、結果を液晶表示器６に出力する。体脂肪率を求める式は各種のものが知られているが、本参考例では、体密度より求めるＢｒｏｚｅｃの式（Ｂｒｏｚｅｃらの報告書J.Brozec、F.Grande、J.T.Anderson and A.Key;“An NY Acad.sci 110(1963)113-40）を用いている。この式はたとえば男性の場合
体密度＝１．１５５４−．０８４１×体重×インピーダンス／身長２
体脂肪率（％）＝（４．９５／体密度−４．５）×１００
から求められる。なお、この式は男性の場合の式であるが、女性の場合も各部の係数を変えることにより適用できるので、被測定者情報に含まれる性別を元に式を切り換える。また、体脂肪率を求める式はこの他にも多くの式が報告されているが、インピーダンスから体脂肪率を求める式であれば、どのような式を用いてもよい。
【００１８】
なお、本実施例においては、インピーダンスより求めた体脂肪率をそのまま表示しているが、体脂肪率から求められる、体脂肪重量、徐脂肪重量、徐脂肪率等で表示を行ってもよい。また、入力手段としてアップダウンスイッチと入力スイッチの組み合わせによるキー群５を用いているが、目的とする被測定者情報を入力できる方法であれば、たとえば１０キーによる入力手段やロータリーエンコーダー等を用いた回転式の入力手段等であっても本発明の範囲を逸脱するものではない。また、報知手段として液晶表示器を用いているが、その他の報知手段、たとえば発光ダイオードを使用したものや、音声で報知するものも範囲に含まれる。また、定電流は人体に感じない範囲であれば、その周波数、電流の大小は任意に変えることができる。また、本実施例においては右手−両足間でインピーダンスを測定しているが手足間のインピーダンスを測定できれば左手−両足間、右手−右足間、右手−左足間、左手−右足間、左手−左足間、その組み合わせは自由である。また、把持部は片手にもてる円筒形のものを使用しているが、その形状に制限はなく、握りやすく、手部電極が手に確実に接触できるものであれば、形状は任意である。上記方法で体脂肪率を測定した後に、被測定者１０は測定に使用した把持部４を持っている力を弱めることにより、ワイヤ１２が巻き取り手段１３に巻き取られコード収納部８の内部に引き込まれることになる。同時にワイヤ１２はカールコード７の内側を貫通しているため、カールコード７もコード収納部８に引き込まれ、測定後被測定者１０が把持部４を引き上げる力を弱めるだけでカールコード７は自動的にコード収納部８に収納され、カールコードの収納が簡単に行えるとともに装置全体の収納状態が整然とすることとなり、非測定状態において装置が乱雑に見えて不快な思いをすることがないものとなる。
【００１９】
図４は、カールコード７及び把持部４をコード収納部８に収納した状態の外観図である。このように把持部４の一部は、カールコードと共にコード収納部８の収納されるように構成している。
【００２０】
図５は、測定時に把持部４を引き出したときのカールコード７とワイヤ１２の様子を示したもので、把持部４が引き出されることにより、巻き取り手段１３からワイヤ１２も引き出され、カールコード７が伸びて被測定者１０の所望の位置まで把持部４を自由に位置させられる。
【００２１】
図６は収納時のカールコード７とワイヤ１２の様子を示したもので、被測定者１０が把持部４を引き出す力を弱め、巻き取り手段１３の巻き戻し力以下にすると、巻き取り手段１３はワイヤ１２を巻き取り始める、ワイヤ１２は把持部４に固定されているとともにカールコード７の内側を貫通しているため、ワイヤ１２が巻き取られるとコード収納部８内部に伸びたカールコード７が収縮しながら収納されるものである。
【００２２】
なお、把持部４の一端は、コード収納部８の開口部８ａに嵌合する形状の嵌合部４ａを有しており、カールコード７を収納した後の蓋の役割を果たすように構成されている。従って、非使用時に、ほこり等がコード収納部内部に入り込み難いためカールコードが汚れ難く清掃等の手間を更に軽減することができる。
【００２３】
ここで、巻き取り手段１３は所定の巻き戻し力で巻き取るものとして説明したが、任意の引出し量で固定され、さらに引き出した場合に巻き取る、或いは巻き取りボタンで巻き取るような構成の巻き取り手段であれば、測定中に巻き取り手段による引っ張り力が働かないので保持が楽になり更に使い勝手が向上する。
【００２４】
また、巻き取り手段１３をコード収納部８内部に構成し、コード収納部８を人体載置部２に取りつけた例で説明をおこなったが、コード収納部８を把持部４に取りつけた場合であってもワイヤ１２の巻き取りによりカールコード７が収縮してコード収納部８内部に収納されれば、収納時における効果に変わりはない。
【００２５】
また、巻き取り手段１３を人体載置部内部、もしくは把持部内部に構成した場合においても、カールコード７の内側をワイヤ１２が貫通するようにコード７の引き出される側の一端を把持部４もしくは人体載置部２に固定すれば、ワイヤ１２の巻き取りによりカールコード７が収縮してコード収納部８内部に収納され、収納時における効果に変わりはない。
【００２６】
また、人体載置部２内部に体重計を組み込み、測定した体重値を被測定者情報の一部とすることで、被測定者の身体的特徴をあらわす被測定者情報を入力する際に体重値入力の手間の軽減が可能となる。
【００２７】
（実施例２）
図７は本発明の実施例２の生体情報測定装置をコード収納部８側からみた時の正面図で、破線はコード収納部８を反時計回りに９０度回動させた時の状態を示す。
【００２８】
図８は図７のコード収納部８周辺をＡ方向から見た右側面図で、破線はコード収納部８を反時計回りに９０度回動させた時の状態を示す。図９は、図７中のＢ−Ｂ断面図で、人体載置部２にコード収納部８を取り付ける方法の一例を示したものである。図９を用いて人体載置部２にコード収納部８を取り付ける方法の一例を説明する。人体載置部２に円形の開口部１７を設け、その開口部１７にコード収納部８の嵌合部１８を挿入後、抜け防止のための係止手段となるリング状の抜け防止ストッパー１６を嵌合部１８に挿入固定することで、コード収納部８は人体載置部２に設けた円形の開口部１７の中心を軸として図７、図８に示すように回動できる構成となる。
【００２９】
以上の様に本実施例においては、コード収納部を所望の角度に回動させることができるために、コード収納部８を図７の破線で示すような角度に立てることで、図３に示す測定時や、把持部４の取り出しや収納の動作が楽に行える。
【００３０】
また、カールコード７、把持部４の収納後は図７の実線で示すようにコード収納部８の側面を人体載置部２の天面に平行になるように倒すことで、非使用時に装置全体をコンパクトにすっきりと見せることができる。
【００３１】
（参考例）
図１０は参考例である生体情報測定装置におけるワイヤ１２の固定方法を示したものである。１４は、使用時に把持部４を自由に位置させる際、カールコード７への屈曲による断線を保護するためのブッシングで、１５はブッシング１４に一体的に構成したリング状の固定部である。本参考例で説明した形状の把持部４であれば、物作り上まず２つの半円筒の樹脂部品を組み合わせることで円柱上の形を形成する。その時２つの半円筒の部品でブッシング１４を挟みこみ内部にカールコード内部の電線端末を電気的に接続する。その際に巻き取り手段１３により常に張力のかかったワイヤ１２を把持部４内部に固定する場合は、作業上非常に手間を要するが、ブッシング１４に固定部１５を構成することで、把持部４を組み上げた後に、カールコード７の内側にワイヤ１２を貫通させ固定部１５にワイヤ１２の一端を括る等の方法で固定することが可能となり、生産途中でのハンドリング性が良く生産効率が向上する。
【００３２】
【発明の効果】
以上のように、請求項１〜３に記載の発明によれば、測定終了時に把持部を引っ張る力を緩めるだけで、カールコードをコード収納部内部に自動的に引き込むため、片付けが簡単になるとともに、装置を使用しない状態において、形の決まらないカールコードにより乱雑に見えがちな装置全体を整然と見せることができる。
【００３３】
また、カールコードがコード収納部内部に収まってしまうために、ホコリ等で汚れる可能性を軽減でき、清掃の手間の軽減を図ることができる。
また、ワイヤがコード収納部内部に収まってしまうために、持ち運び時にカールコードが垂れ下がったりひっかかったりということがなくなり、スムースな持ち運びが可能である。
【００３４】
また、コード収納部を任意の角度に回動させることができるため、使用時に把持部を引き出し易く、収納時にコンパクトに収納することができる。
【図面の簡単な説明】
【図１】  本発明の実施例１における生体情報測定装置の外観図
【図２】  本発明の実施例１における生体情報測定装置のブロック図
【図３】  本発明の実施例１における測定時の説明図
【図４】  本発明の実施例１におけるカールコード及び把持部をコード収納部に収納した状態の外観図
【図５】  本発明の実施例１における測定時のカールコードとワイヤの状態図
【図６】  本発明の実施例１における収納時のカールコードとワイヤの状態図
【図７】  本発明実施例２の生体情報測定装置をコード収納部側からみた時の正面図
【図８】  図７のコード収納部周辺をＡ方向から見た右側面図
【図９】  図５中のＢ−Ｂ断面図
【図１０】  参考例である生体情報測定装置におけるワイヤの固定部の図
【図１１】  従来の生体情報測定装置の外観図
【符号の説明】
１ａ、１ｂ、１ｃ、１ｄ  足部電極
２  人体載置部
３ａ、３ｂ  手部電極
４  把持部
４ａ  嵌合部
５  キー群（入力手段）
７  カールコード
８  コード収納部
８ａ  開口部
９  インピーダンス測定手段
１２  ワイヤ
１３  巻き取り手段
１４  ブッシング
１５  固定部
【図１】
0003888207.tif 000002
【図２】
0003888207.tif 000003
【図３】
0003888207.tif 000004
【図４】
0003888207.tif 000005
【図５】
0003888207.tif 000006
【図６】
0003888207.tif 000007
【図７】
0003888207.tif 000008
【図８】
0003888207.tif 000009
【図９】
0003888207.tif 000010
【図１０】
0003888207.tif 000011
【図１１】
0003888207.tif 000012